(57)【要約】【課題】本発明の目的は、構造耐力壁を適切に配置することが可能であるとともに、開放感と視線遮断部分がバランス良く取入れられたシステムキッチンを提供することにある。【解決手段】住空間に設置されるシステムキッチンＳに関する。  システムキッチンＳは、ダイニングＤ空間若しくはリビング空間ＬとキッチンＫ空間との境界部に配設されるキッチンユニット１と、このキッチンユニット１の、リビングＬ空間若しくはダイニング空間側端部に配設されるコアブロック３と、を有して構成されており、キッチンユニット１の、境界部ダイニングＤ空間若しくはリビング空間Ｌ側には、キッチンカウンタ２が備えられて、キッチンＫ空間とダイニングＤ空間若しくはリビング空間Ｌとが空間的に一部連結したオープン型のキッチンが形成され、コアブロック３は、ダイニングＤ空間と、リビングＬ空間と、キッチンＫ空間との接点部分に配設される。【選択図】図１
2010246693.tif 000002
【特許請求の範囲】
【請求項１】
ダイニング空間と、リビング空間と、キッチン空間とが近接して配置された住空間に設置されるシステムキッチンであって、
前記システムキッチンは、前記ダイニング空間若しくは前記リビング空間と前記キッチン空間との境界部に配設されるキッチンユニットと、
該キッチンユニットの、前記リビング空間側端部に配設されるコアブロックと、
を有して構成されており、
前記キッチンユニットの、前記境界部のダイニング空間側若しくは前記リビング空間側には、キッチンカウンタが備えられて、前記キッチン空間と前記ダイニング空間若しくは前記リビング空間とが空間的に一部連結したオープン型のキッチンが形成され、
前記コアブロックは、前記ダイニング空間と、前記リビング空間と、前記キッチン空間との接点部分付近に配設されることを特徴とするシステムキッチン。
【請求項２】
前記システムキッチンは、前記ダイニング空間を中心として、該ダイニング空間と前記リビング空間及び前記ダイニング空間と前記キッチン空間とが隣接し、前記ダイニング空間と前記リビング空間と前記キッチン空間とが略Ｌ字形状に配置された住空間に設置されるシステムキッチンとして構成されており、
前記キッチンユニットは、前記ダイニング空間と前記キッチン空間との境界部に配設されるとともに、前記コアブロックは、前記リビング空間側端部に配設されており、
前記カウンタは、前記キッチンユニットの、前記境界部のダイニング空間側に備えられて、前記キッチン空間と前記ダイニング空間とが空間的に一部連結したオープン型のキッチンが形成されている特徴とする請求項１に記載のシステムキッチン。
【請求項３】
前記キッチンカウンタの天面の高さは、前記キッチンユニットの天面の高さよりも高くなるように構成されていることを特徴とする請求項１又は請求項２に記載のシステムキッチン。
【請求項４】
前記コアブロックは、少なくとも一枚の構造耐力壁を有して形成されていることを特徴とする請求項１又は請求項２に記載のシステムキッチン。
【請求項５】
前記コアブロックは、前記カウンタと並列するように配設された第１構造耐力壁と、該第１構造耐力壁の前記キッチン空間側に、前記第１構造耐力壁と略平行に配設された第２の構造体力壁とを少なくとも有して構成されており、
前記第１構造耐力壁と前記第２構造耐力壁との間には、収納空間が形成されていることを特徴とする請求項１又は請求項２に記載のシステムキッチン。
【請求項６】
前記コアブロックは、前記第２構造耐力壁の、前記カウンタが配設される側と反対側の端部から略垂直に前記キッチン空間側に立設した第３構造耐力壁を有して構成されており、
前記第２構造耐力壁と前記第３構造耐力壁とで断面略Ｌ字形状のコアブロック内空間が形成されていることを特徴とする請求項５に記載のシステムキッチン。
【請求項７】
前記コアブロックは、前記第２構造耐力壁の両端部から略垂直に前記キッチン空間側に立設した第３構造耐力壁及び第４構造耐力壁を有して構成されており、
前記第２構造耐力壁と、前記第３構造耐力壁と、前記第４構造耐力壁とで断面略コ字形状のコアブロック内空間が形成されていることを特徴とする請求項５に記載のシステムキッチン。
【請求項８】
前記コアブロックは、前記カウンタと並列するように配設された第１構造耐力壁と、
該第１構造耐力壁の、前記カウンタが配設される側と反対側の端部から略垂直に前記キッチン空間側に立設した第５構造耐力壁とを有して構成されており、
前記第１構造耐力壁と前記第５構造耐力壁とで断面略Ｌ字形状のコアブロック内空間が形成されていることを特徴とする請求項１又は請求項２に記載のシステムキッチン。
【請求項９】
前記コアブロックは、前記カウンタと並列するように配設された第１構造耐力壁と、
該第１構造耐力壁の両端部から略垂直に前記キッチン空間側に立設した第５構造耐力壁及び第６構造耐力壁を有して構成されており、
前記第１構造耐力壁と、前記第５構造耐力壁と、前記第６構造耐力壁とで断面略コ字形状のコアブロック内空間が形成されていることを特徴とする請求項１又は請求項２に記載のシステムキッチン。
【発明の詳細な説明】
【技術分野】
【０００１】
本発明は、システムキッチンに関し、特に開放感と収納力とを同時に実現した構造のシステムキッチンに関する。
【背景技術】
【０００２】
近年、リビング・ダイニング及びキッチン周りを、開放的で間仕切壁を設けないオープン空間構成とすることが主流であるとともに、採光通風を目的として大きな開口を設けたいとの要求が高い。
例えば、このように、開放感を実現するためのものとして、オープン型（つまり、カウンタ型、アイランド型、ペニンシュラ型等）のシステムキッチンが知られている（例えば、特許文献１参照）。
【０００３】
特許文献１には、ペニンシュラ型のオープンキッチンが開示されている。
特許文献１に記載のキッチンは、ペニンシュラ型とよばれ、台所の壁面から半島状に延設置されるカウンタが備えられており、このカウンタにはシンク等の設備が装備される。
（なお、一般的に、アイランド型とは、カウンタが壁面とは離隔して半島状に形成され、この半島状のカウンタにシンク等の設備が装備されたキッチンを指す。）
特許文献１に記載の技術では、壁面より延出したカウンタに、レンジや複数のシンクが装備されて、ペニンシュラ型のオープンキッチンが形成されている。
【先行技術文献】
【特許文献】
【０００４】
【特許文献１】特開２００３−１２５８６８号公報
【発明の概要】
【発明が解決しようとする課題】
【０００５】
このように、特許文献１に係る技術によれば、開放感を有するとともに採光通風を確保することが可能なキッチンを提供することができる。
しかし、このようなオープンキッチン（ペニンシュラ型及びアイランド型キッチン等）を採用すると、大きな空間が必要となるため、構造耐力上、梁せいが大きくなる。このため、コストアップにつながることとなる。
また、これらのオープンキッチンの需要は高く、人気があるが、その開放感に対する不満が存在することもまた否定することができない。
【０００６】
例えば、キッチンに対する消費者調査（２００９年２月出願人実施調査）によると、約５０％の人が「来客時には丸見えのキッチンにならない方が良い」との回答があり、主流となっているオープン型を望まない声もあるということがわかる。
しかし、現状考えられるキッチンレイアウトでは、キッチンを「隠す」プランとして提案することができるものは、個室型の間取りとなる。
このような個室型の間取りのキッチンでは、閉鎖的なキッチン空間になりやすいという問題点があった。
このような状況下、来客が訪れる機会が多く、家族のくつろぎの場でもあるリビング空間からの視線に配慮されていて、更に空間のつながり（開放感）を維持したキッチンプランの提供が求められていた。
【０００７】
本発明の目的は、上記各問題点を解決することにあり、構造耐力壁を適切に配置することが可能であるとともに、開放感と視線遮断部分がバランス良く取入れられたシステムキッチンを提供することにある。
また、本発明の他の目的は、開放感を実現しながら、煩雑になるキッチン回りの小物の収容スペースをも確保することができるシステムキッチンを提供することにある。
【課題を解決するための手段】
【０００８】
上記課題は、請求項１に係る発明によれば、ダイニング空間と、リビング空間と、キッチン空間とが近接して配置された住空間に設置されるシステムキッチンであって、前記システムキッチンは、前記ダイニング空間若しくは前記リビング空間と前記キッチン空間との境界部に配設されるキッチンユニットと、該キッチンユニットの、前記リビング空間側端部に配設されるコアブロックと、有して構成されており、前記キッチンユニットの、前記境界部のダイニング空間側若しくは前記リビング空間側には、キッチンカウンタが備えられて、前記キッチン空間と前記ダイニング空間若しくは前記リビング空間とが空間的に一部連結したオープン型のキッチンが形成され、前記コアブロックは、前記ダイニング空間と、前記リビング空間と、前記キッチン空間との接点部分付近に配設されることにより解決される。
【０００９】
また、一般的な例としては、請求項２に記載のように、前記システムキッチンは、前記ダイニング空間を中心として、該ダイニング空間と前記リビング空間及び前記ダイニング空間と前記キッチン空間とが隣接し、前記ダイニング空間と前記リビング空間と前記キッチン空間とが略Ｌ字形状に配置された住空間に設置されるシステムキッチンとして構成されており、前記キッチンユニットは、前記ダイニング空間と前記キッチン空間との境界部に配設されるとともに、前記コアブロックは、前記リビング空間側端部に配設されており、前記カウンタは、前記キッチンユニットの、前記境界部のダイニング空間側に備えられて、前記キッチン空間と前記ダイニング空間とが空間的に一部連結したオープン型のキッチンが形成されていると好適である。
【００１０】
このように、本発明に係るシステムキッチンは、ダイニング空間若しくはリビング空間とキッチン空間との間にキッチンカウンタが設置されて両空間が一部連結した状態のオープン型のキッチンとして構成されている。
このため、キッチン空間にいる居住者とダイニング空間若しくはリビング空間にいる居住者とのコミュニケーションが円滑に取れるとともに、キッチン空間からダイニング空間若しくはリビング空間を見渡すことができるように構成される。
また、キッチンカウンタがキッチンで仕事をする居住者の手元を隠すため、煩雑になるキッチン回りをダイニング空間から隠すことが可能となる。
【００１１】
更に、本発明に係るシステムキッチンには、コアブロックが備えられており、このコアブロックはダイニング空間と、リビング空間と、キッチン空間との接点部分に配置される。
このため、コアブロックをダイニング空間と、リビング空間と、キッチン空間との接点部分に配置すると、リビング空間とキッチン空間とを結ぶ線（視界線）の中途にコアブロックが配置されることになるため、リビング空間からキッチン空間への視線を、このコアブロックによって遮断することができる。
【００１２】
なお、本発明に係るシステムキッチンは、より具体的には、ダイニング空間を中心として、ダイニング空間とリビング空間及びダイニング空間とキッチン空間とが隣接し、ダイニング空間とリビング空間とキッチン空間とが略Ｌ字形状に配置された住空間に設置する。
【００１３】
以上のように、本発明によれば、キッチン空間とダイニング空間との間でのコミュニケーションは維持しながら、くつろぎの空間であるリビング空間からの視線からキッチン空間を隠すことができるようになる。
このように、来客の訪れる機会が多く、家族のくつろぎの場であるリビング空間からの視線に配慮されていて、更に空間のつながり（開放感）を維持したシステムキッチンが提供されることとなる。
【００１４】
更にこのとき、前記キッチンカウンタの天面の高さは、前記キッチンユニットの天面の高さよりも高くなるように構成されていると好適である。
このように構成されているため、キッチンユニットの天面部分は、キッチンカウンタの存在によりリビング空間若しくはダイニング空間の視線から遮断されることとなる。
よって、キッチンカウンタに通常面するシンク部分や、コンロ部分等の煩雑となりやすい部分がキッチンカウンタで隠れて、快適な空間を提供することができる。
【００１５】
また、このとき、前記コアブロックは、少なくとも一枚の構造耐力壁を有して形成されていると好適である。
このように、本発明に係るシステムキッチンにおいては、オープン型のキッチンにおいて配設困難であった構造耐力壁を少なくとも一枚適切に配置することが可能となる。
【００１６】
更に、このとき、前記コアブロックは、前記カウンタと並列するように配設された第１構造耐力壁と、該第１構造耐力壁の前記キッチン空間側に、前記第１構造耐力壁と略平行に配設された第２の構造体力壁とを少なくとも有して構成されており、前記第１構造耐力壁と前記第２構造耐力壁との間には、収納空間が形成されていると好適である。
このように構成されているため、コアブロックによって、リビング空間からの視線を遮断できるとともに、キッチン周りや、リビング・ダイニング周りで使用するものを収納するためのスペースをも同時に確保することができる。
このように、本発明に係るシステムキッチンを使用すると、より快適な住空間を提供することができる。
【００１７】
具体的には、前記コアブロックは、前記カウンタと並列するように配設された第１構造耐力壁と、該第１構造耐力壁の前記キッチン空間側に、前記第１構造耐力壁と略平行に配設された第２の構造体力壁とを少なくとも有して構成されており、前記第１構造耐力壁と前記第２構造耐力壁との間には、収納空間が形成されていると、リビング空間・ダイニング空間側に壁面が配設されるため、この方向からの視線に対し、すっきりとした外観を提供することができる。
この第１構造耐力壁のリビング空間・ダイニング空間側面にクロス等を配設することにより、これらリビング空間・ダイニング空間のインテリアコンセプトに適合した壁面を提供することができ、意匠性をもまた向上させることができる。
【００１８】
より具体的には、前記コアブロックは、前記第２構造耐力壁の、前記カウンタが配設される側と反対側の端部から略垂直に前記キッチン空間側に立設した第３構造耐力壁を有して構成されており、前記第２構造耐力壁と前記第３構造耐力壁とで断面略Ｌ字形状のコアブロック内空間が形成されていると好適である。
【００１９】
また、他の具体案として、前記コアブロックは、前記第２構造耐力壁の両端部から略垂直に前記キッチン空間側に立設した第３構造耐力壁及び第４構造耐力壁を有して構成されており、前記第２構造耐力壁と、前記第３構造耐力壁と、前記第４構造耐力壁とで断面略コ字形状のコアブロック内空間が形成されていると好適である。
【００２０】
更に、他の具体案としては、前記コアブロックは、前記カウンタと並列するように配設された第１構造耐力壁と、該第１構造耐力壁の、前記カウンタが配設される側と反対側の端部から略垂直に前記キッチン空間側に立設した第５構造耐力壁とを有して構成されており、前記第１構造耐力壁と前記第５構造耐力壁とで断面略Ｌ字形状のコアブロック内空間が形成されていると好適である。
【００２１】
また、他の具体案としては、前記コアブロックは、前記カウンタと並列するように配設された第１構造耐力壁と、該第１構造耐力壁の両端部から略垂直に前記キッチン空間側に立設した第５構造耐力壁及び第６構造耐力壁を有して構成されており、前記第１構造耐力壁と、前記第５構造耐力壁と、前記第６構造耐力壁とで断面略コ字形状のコアブロック内空間が形成されていると好適である。
【００２２】
これら上記においては、コアブロック内空間は、収納空間又は冷蔵庫配設空間、若しくは収納空間及び冷蔵庫配設空間として使用することができる。
このように構成されているため、冷蔵庫を配置したり収納用品を配置するためのスペースを確実に確保することができる。
【発明の効果】
【００２３】
本発明によれば、ダイニング空間若しくはリビング空間とキッチン空間との間にキッチンカウンタが設置され、両空間が一部連結したオープン型のキッチンを構成することができ、キッチン空間にいる居住者とダイニング空間にいる居住者とのコミュニケーションを確保することができる。
【００２４】
また、キッチン空間からダイニング空間若しくはリビング空間を見渡すことができるため、家事をしながら、家族の様子を見守ることが可能となる。
更に、キッチンカウンタがキッチンで仕事をする居住者の手元を隠すため、煩雑になるキッチン回りをダイニング空間若しくはリビング空間から隠すことが可能となる。
【００２５】
また、これと同時に、本発明に係るシステムキッチンには、コアブロックが備えられており、このコアブロックは、ダイニング空間と、リビング空間と、キッチン空間との接点部分に配置されるため、リビング空間若しくはダイニング空間からキッチン空間への視線を確実に遮断することができる。
【００２６】
具体例を挙げると、システムキッチンは、ダイニング空間を中心として、ダイニング空間とリビング空間及びダイニング空間とキッチン空間とが隣接し、ダイニング空間とリビング空間とキッチン空間とが略Ｌ字形状に配置された住空間に設置されている場合、コアブロックをダイニング空間と、リビング空間と、キッチン空間との接点部分に配置すると、リビング空間とキッチン空間とを結ぶ線（視界線）の中途にコアブロックが配置されることになる。
よって、リビング空間からキッチン空間への視線を確実に遮断することができることとなる。
このため、キッチン空間とダイニング空間との間でのコミュニケーションは維持しながら、リビング空間からキッチン空間への視線を遮断することができる。
【００２７】
また、このコアブロックを構造耐力壁により構成することによって、オープン型のキッチンにおいて、構造耐力壁を適切に配置することが可能となるとともに、このコアブロックに収納機能を持たせることにより、キッチン空間・リビング空間・ダイニング空間において使用する小物を効率良く収納することができる。
以上のように、本発明によれば、構造耐力壁を適切に配置することが可能であるとともに、開放感と視線遮断部分をバランス良く取入れることができる。
また、開放感を実現しながら、煩雑になるキッチン回りの小物の収容スペースをも確保することができる。
このように、本発明に係るシステムキッチンによれば、快適で意匠性の高い住環境を提供することができる。
【図面の簡単な説明】
【００２８】
【図１】本発明の一実施形態に係るシステムキッチンが配設されたダイニングの様子を示す斜視図である。
【図２】本発明の一実施形態に係るシステムキッチン・ダイニング・リビングの配置を示す間取り図である。
【図３】本発明の一実施形態に係るシステムキッチンを示す斜視図である。
【図４】本発明の一実施形態に係るコアブロックを示す斜視図である。
【図５】本発明の一実施形態に係る冷蔵庫配置スペースを示す斜視図である。
【図６】本発明の一実施形態に係る第１収納ユニットを示す斜視図である。
【図７】本発明の一実施形態に係る第２収納ユニットを示す斜視図である。
【図８】本発明の一実施形態に係る視線遮断収納部を構成する構造耐力壁を示す説明図である。
【図９】本発明の一実施形態に係る視界遮断機能を示す模式図である。
【図１０】本発明の一実施形態に係る視界遮断収納部の機能を示す説明図である。
【図１１】本発明の一実施形態に係るキッチン・ダイニング・リビング・システムキッチンの配置例を示す説明図である。
【図１２】本発明の改変例１に係る視線遮断収納部を構成する構造耐力壁を示す説明図である。
【図１３】本発明の改変例２に係る視線遮断収納部を構成する構造耐力壁を示す説明図である。
【図１４】本発明の改変例３に係る視線遮断収納部を構成する構造耐力壁を示す説明図である。
【図１５】本発明の改変例４に係る視線遮断収納部を構成する構造耐力壁を示す説明図である。
【発明を実施するための形態】
【００２９】
以下、本発明の一実施形態を図面に基づいて説明する。
なお、以下に説明する構成は本発明を限定するものでなく、本発明の趣旨の範囲内で
種々改変することができるものである。
本実施形態は、構造耐力壁を適切に配置することが可能であるとともに、開放感と視線遮断部分がバランス良く取入れられ、収納スペースを十分に確保することが可能なシステムキッチンに関するものである。
【００３０】
図１乃至図１１は、本発明に係る一実施形態を示すものであり、図１はシステムキッチンが配設されたダイニングの様子を示す斜視図、図２はシステムキッチン・ダイニング・リビングの配置を示す間取り図、図３はシステムキッチンを示す斜視図、図４はコアブロックを示す斜視図、図５は冷蔵庫配置スペースを示す斜視図、図６は第１収納ユニットを示す斜視図、図７は第２収納ユニットを示す斜視図、図８は視線遮断収納部を構成する構造耐力壁を示す説明図、図９は視界遮断機能を示す模式図、図１０は視界遮断収納部の機能を示す説明図、図１１はキッチン・ダイニング・リビング・システムキッチンの配置例を示す説明図である。
【００３１】
また、図１２乃至図１５は、改変例を示すものであり、図１２は改変例１に係る視線遮断収納部を構成する構造耐力壁を示す説明図、図１３は改変例２に係る視線遮断収納部を構成する構造耐力壁を示す説明図、図１４は改変例３に係る視線遮断収納部を構成する構造耐力壁を示す説明図、図１５は改変例４に係る視線遮断収納部を構成する構造耐力壁を示す説明図である。
【００３２】
まず、図１乃至図３により、本実施形態に係るシステムキッチンＳの構成を説明する。
図１に、本実施形態に係るシステムキッチンＳの説明図を示す。
なお、本実施形態においては、システムキッチンＳが、ダイニングＤ（「ダイニング空間」に相当）を中心として、ダイニングＤとリビングＬ（「リビング空間」に相当）及びダイニングＤとキッチンＫ（「キッチン空間」に相当）とが隣接し、ダイニングＤとリビングＬとキッチンＫとが略Ｌ字形状に配置された住空間に設置される例を説明した。
これらの配置の他の具体例は、図１１を参照し、後述する。
本実施形態に係るシステムキッチンＳは、キッチンユニット１、カウンタ２（「キッチンカウンタ」に相当）、コアブロック３を有して構成されている。
【００３３】
本実施形態に係るキッチンユニット１は、公知のＬ型キッチンユニットである。
このキッチンユニットは、第１ユニット１１と、第２ユニット１２とを有して構成され、この第１ユニット１１及び第２ユニット１２は、約９０°の角度を成して連結され、Ｌ型の上面形状となる。
なお、本実施形態においては、キッチンユニット１としてＬ型キッチンユニットを使用したが、これに限られることはなく、Ｉ型キッチンユニット等、本発明の趣旨を逸脱しない範囲であればどのような形態のキッチンユニットであってもよい。
【００３４】
この第１ユニット１１には、加熱設備１１ａ（コンロ、ＩＨヒータ等）が配設されるとともに、第２ユニット１２には、シンク１２ａ等の水周り設備が配設されている。
本実施形態においては、第２ユニット１２が、ダイニングＤ側へ面するように配設されており、この第２ユニット１２のダイニングＤ側には、カウンタ２が配設されている。
つまり、シンク１２ａにおいて、水仕事を行いながら、ダイニングＤスペース側とコミュニケーションを取ることが可能となるような配置となっている。
【００３５】
本実施形態に係るカウンタ２は、公知のオープン型キッチンに配設されるキッチンカウンタであり、略矩形平板状の天板２１と、床から垂直に起立して天板２１を支持する平板状の支持部２２とを有して構成されている。
なお、このカウンタ２を構成する天板２１の天面と床面との距離は、第２ユニット１２の天面と床面との距離よりも大きくなるように構成されている。
つまり、カウンタ２と第２ユニット１２の天面で段差が形成されている。
このため、第２ユニット１２天面は、カウンタ２が障害物となり、ダイニングＤから視認困難となる。
つまり、カウンタ２の存在により、ダイニングＤからの視線が遮断され、煩雑になりやすいシンク１２ａ周りをダイニングＤから隠すことができる。
【００３６】
なお、本実施形態においては、天板２１を支持する支持部２２を平板状部材で構成したが、これに限られることはなく、収納用品（例えば、開き戸若しくは引き戸付、又はオープンの棚や、収納ボックス等）を支持部２２として用いて、その上面に天板２１を載置固定するように構成してもよい。
このように構成すると収納スペースが更に拡充されるため好適である。
【００３７】
また、第２ユニット１２の端部（第１ユニット１１と連結している側と反対側の端部）には、コアブロック３が配設されている。
このコアブロック３は、収納のためのスペースと冷蔵庫を設置するためのスペースが組み込まれたブロックである。
図２に示すように、本実施形態においては、カウンタ２と並列する位置に、収納スペース３２が配置され、そのキッチンＫ側に冷蔵庫設置スペース３１が配設されている。
【００３８】
図５乃至図７により、コアブロック３の構成を説明する。
本実施形態に係るコアブロック３は、視界遮断収納部３Ａと、被覆部３Ｂとを備えて構成されている。
【００３９】
本実施形態に係る視界遮断収納部３Ａは、冷蔵庫設置スペース３１及び収納スペース３２を有して構成されている。
本実施形態に係る冷蔵庫設置スペース３１は、図５に示すように、３枚の略矩形状平板で形成された断面コ字形状の空間である。
【００４０】
この断面コ字形状の空間は、３枚の構造耐力壁３０２，３０３，３０４を組み合わせることにより形成されている（底面を構造耐力壁３０２とし、構造耐力壁３０３及び構造耐力壁３０４は、この底面となる構造耐力壁３０２の相対向する長辺上から同方向に略垂直に起立する側面とする）。
【００４１】
本実施形態に係る冷蔵庫設置スペース３１は、コ字開口部をキッチンＫ側へ向けて（つまり、構造耐力壁３０２がリビングＬ及びダイニングＤ方向に配設されるように）、構造耐力壁３０３及び構造耐力壁３０４がキッチンＫ方向へ延びるように配置される。
つまり、冷蔵庫設置スペース３１は、ダイニングＤ及びリビングＬ側と反対側、換言すればキッチンＫ配設側）に開口を向けて配設されており、このため、このスペースに冷蔵庫を配置すると、キッチンＫ側より冷蔵庫の扉の開閉を行うことができる。
【００４２】
また、本実施形態に係る収納スペース３２は、図６及び図７に示すように、構造耐力壁３０２と、この構造耐力壁３０２と平行に配置された（リビングＬ及びダイニングＤ側に配置、換言すれば、構造耐力壁３０３及び構造耐力壁３０４が起立する方向と逆側の方向に配置）略矩形状の構造耐力壁３０１とで構成された空間である。
【００４３】
なお、構造耐力壁３０１が「第１構造耐力壁」に相当し、構造体力壁３０２が「第２構造耐力壁」に相当する。
また、構造耐力壁３０３が「第３構造耐力壁」に相当し、構造耐力壁３０４が「第４構造耐力壁」に相当する。
【００４４】
この収納スペース３２には、第１収納ユニット３２ａ及び第２収納ユニット３２ｂが配置される。
この第１収納ユニット３２ａ及び第２収納ユニット３２ｂは、本実施形態においては、収納スペース３２の両端部に各々配設されている。
【００４５】
ただし、この配置は、特にこれに限定されるわけではなく、どのような配置であってもよいし、収納ユニットの数もまた、収納空間の広狭や顧客の需要に応じてどのように設計されていてもよい。
この第１収納ユニット３２ａは、図６に示すように、第１収納下部空間１３１、第１収納中部空間１３２、第１収納上部空間１３３を有して構成されている。
【００４６】
この第１収納下部空間１３１は、開き戸形式の収納空間となっており、内部に物を収納して開き戸により開閉できるように構成されている。
また、第１収納中部空間１３２は、中空空間となっており、その底面とカウンタ２の上面は面一となるように構成され、カウンタ２において使用される小物類（調味料入や電話等）がオープン収納できるように構成されている。
更に、第１収納上部空間１３３は、第１収納下部空間１３１と同様に、開き戸形式の収納空間となっており、内部に小物等を収納して、開き戸により開閉できるように構成されている。
【００４７】
また、本実施形態に係る第２収納ユニット３２ｂは、図７に示すように、第２収納下部空間１３４、第２収納中部空間１３５、第２収納上部空間１３６を有して構成されている。
この第２収納下部空間１３４は、開き戸形式の収納空間となっており、内部に物を収納して開き戸により開閉できるように構成されている。
【００４８】
また、本実施形態においては、第２収納下部空間１３４の上端部に引出１３４ａが形成されており、小物収納の便宜性を向上させている。
更に、第２収納中部空間１３５は、中空空間（いわゆる「ニッチ空間」）となっており、小物類（インターフォン、電話等）をオープン収納したり、花瓶、装飾照明、美術品等の装飾物が配置可能となっている。
【００４９】
また、第２収納上部空間１３６は、第２収納下部空間１３４と同様に、開き戸形式の収納空間となっており、内部に物を収納して、開き戸により開閉できるように構成されている。
なお、この第１収納ユニット３２ａ及び第２収納ユニット３２ｂのリビングＬ及びダイニングＤ側に配置される面には、構造耐力壁３０１が立設されていることとなる。
【００５０】
本実施形態に係る被覆部３Ｂは、カウンタ屋根部３３を有して構成されている。
本実施形態に係るカウンタ屋根部３３は、上方に開口を有する断面略コ字形状の有底筐体状部材であり、第１収納ユニット３２ａの上端部からカウンタ２の天板２１と略平行に(カウンタ２の直上部に)延設される。
【００５１】
このカウンタ屋根部３３の底面（カウンタ２を構成する天板２１と対向する面）には、照明設備等が配設され、その内部には照明設備に電気を供給するための配線や、各キッチンＫ周りの設備に電気を供給するための配線が内蔵される。
このため、カウンタ２上に照明光を当てることができるとともに、配線等の部材を収納することができる。
また、カウンタ屋根部３３が存在するために、キッチンＫとダイニングＤとの境界部分に存在するカウンタ２付近の開口面積が少なくなり、キッチンＫからの臭気の拡散を防止することができる。
【００５２】
次いで、図８により、構造耐力壁の配置について詳述する。
図８に、コアブロック３を構成する視界遮断収納部３Ａを示す。
なお、本図は、構造耐力壁の配置についての説明を行うために簡略化している。
【００５３】
本実施形態においては、構造耐力壁を最大４枚配設することができる。
つまり、冷蔵庫配置スペース３１を構成する３枚の壁を、３枚の構造耐力壁３０２，３０３，３０４で構成することができるとともに、第１収納ユニット３２ａ及び第２収納ユニット３２ｂのダイニングＤ側に面する壁を構造耐力壁３０１で構成することができる。
【００５４】
このように、本実施形態に係る視界遮断収納部３Ａにおいては、４枚の構造耐力壁３０１，３０２，３０３，３０４が配設される。
なお、この構造耐力壁の数等は、これに限られるものではなく、本発明の趣旨を逸脱しない範囲で、どうのように設計されていてもよい。
以上のように、本実施形態によれば、構造耐力壁を複数枚（構造耐力壁３０１，３０２，３０３，３０４）配設することができる。
【００５５】
次いで、図９及び図１０により、本実施形態に係るシステムキッチンＳの機能を説明する。
図９に示すように、本実施形態に係るシステムキッチンＳは、「開放感」と「遮蔽効果」の２側面がバランス良く共存する。
つまり、リビングＬ空間、ダイニングＤ空間、キッチンＫ空間とが交わる点に遮蔽物Ｐを設置することにより、リビングＬ空間からのキッチンＫ空間への視線（矢印Ａ参照）を遮断することができる。
【００５６】
換言すれば、リビングＬ空間とダイニングＤ空間とを結ぶ線の中途上（両者間の視界線の中途上）に遮断物Ｐが介在することとなるため、リビングＬ空間からのキッチンＫ空間への視線を確実に遮断することができることになる。
このため、煩雑になりやすいキッチンＫ周りを、くつろぎの空間であるリビングＬスペースから隠蔽することができる。
【００５７】
また、キッチンＫとダイニングＤとの間には、遮蔽物Ｐが介在しない場所があり、空間的に連通しているため、キッチンＫとダイニングＤとの間でコミュニケーションをとることが可能となる（矢印Ｂ参照）。
このため、キッチンＫで家事を行いながら、ダイニングＤ空間の居住者とコミュニケーションを取るとともに、ダイニングＤ空間の居住者に対して、目を行き届かせることができる。
【００５８】
この図９の模式図を本実施形態において具現化したものを図１０に示す。
図１０に示すように、コアブロック３を構成する視界遮断収納部３Ａにより、リビングＬ空間からの視線を遮断することができる（矢印Ａ参照）。
つまり、遮蔽物Ｐとして、コアブロック３を構成する視界遮蔽収納部３Ａを配置したことにより、リビングＬ空間からのキッチンＫ空間方向への視線を確実に遮断することができる。
【００５９】
また、キッチンＫとダイニングＤとの間には、カウンタ２があるのみで、空間的に連通しているため、キッチンＫとダイニングＤとの間でコミュニケーションをとることが可能となる（矢印Ｂ参照）。
更に、キッチンＫとダイニングＤとの間には、カウンタ２が介在しているため、シンク１２ａ周り（つまり、水周り手元）はダイニングＤ空間より隠蔽されている。
よって、ダイニングＤとコミュニケーションを取るとともに、煩雑となる水周り手元は隠蔽することができる。
【００６０】
以上のように、本実施形態によれば、くつろぎの空間であり、来客等居住者以外の者が利用する可能性のあるリビングＬからのキッチンＫへの視線を遮断することができるとともに、居住者が利用する頻度の高いダイニングＤとキッチンＫとの間には連通空間を創り、双方からのコミュニケーションを可能とすることができる。
また、遮蔽物Ｐを視界遮蔽収納部３Ａとして構成したため、収納空間を十分に確保することができ、リビングＬ周り、ダイニングＤ周り、キッチンＫ周りで使用される細々としたものを確実に収納することができ、快適な居住空間を提供することができる。
【００６１】
次いで、図１１により、キッチンＫ、ダイニングＤ、リビングＬ、システムキッチンＳの配置例を説明する。
なお、これらキッチンＫ、ダイニングＤ、リビングＬ、システムキッチンＳの配置は、以下の配置例に限定されることはなく、本発明の趣旨を逸脱しない範囲で変更することができる。
図１１（ａ）に示す例は、上記実施形態において説明した配置例であり、図１１（ｂ）乃至図１１（ｆ）は、これに比して異なった配置を行う例を説明する。
図１１（ｂ）は、キッチンＫとダイニングＤをカウンタ２を挟んで対向させ、このダイニングＤの隣であって、キッチンＫと並列しない位置にリビングＬを配置した例であり、この場合には矢印に示すリビングＬからの視線を、コアブロック３が有効に遮断する。
【００６２】
また、図１１（ｃ）は、キッチンＫの隣にダイニングＤを配置し、これらキッチンＫ及びダイニングＤ双方に対向するようにリビングＬを配置した例であり、この場合には２本の矢印に示すリビングＬからの視線を、コアブロック３及びカウンタ２により遮断することができる。
カウンタ２方向の視線は、前述のとおり、天板２１の天面と床面との距離が、第２ユニット１２の天面と床面との距離よりも大きくなるように構成されているため、有効に遮断することができる。
つまり、カウンタ２と第２ユニット１２の天面で段差が形成されているため、第２ユニット１２天面は、カウンタ２が障害物となり、リビングＬから視認困難となる。
つまり、カウンタ２の存在により、リビングＬからの視線が遮断され、煩雑になりやすいシンク１２ａ周りをリビングＬから隠すことができるよう構成されている。
【００６３】
更に、図１１（ｄ）は、キッチンＫとダイニングＤをカウンタ２を挟んで対向させ、これらキッチンＫとダイニングＤ双方に対向するようにリビングＬを配置した例である。
この場合には２本の矢印に示すリビングＬからの視線を、コアブロック３により遮断することができる。
なお、本例においては、より確実にリビングＬからの視線を遮断するために、構造耐力壁３０３の幅（水平方向の長さ）が構造耐力壁３０４の幅（水平方向の長さ）よりも大きくなるように構成されている。
【００６４】
また、図１１（ｅ）は、キッチンＫとダイニングＤをカウンタ２を挟んで対向させ、このキッチンＫの隣であって、ダイニングＤと並列しない位置にリビングＬを配置した例である。
この場合には矢印に示すリビングＬからの視線を、コアブロック３により遮断することができる。
なお、本例においては、より確実にリビングＬからの視線を遮断するために、構造耐力壁３０３の幅（水平方向の長さ）が構造耐力壁３０４の幅（水平方向の長さ）よりも大きくなるように構成されている。
【００６５】
更に、図１１（ｆ）は、キッチンＫとダイニングＤをカウンタ２を挟んで対向させ、ダイニングＤを挟んでリビングＬを配置した例である。
この場合、ダイニングＤを通過するリビングＬからの視線は、カウンタ２と、（その視線の一部は）コアブロック３により遮断される。
つまり、前述のとおり、天板２１の天面と床面との距離が、第２ユニット１２の天面と床面との距離よりも大きくなるように構成されているため、視線を有効に遮断することができる。
換言すれば、カウンタ２と第２ユニット１２の天面で段差が形成されているため、第２ユニット１２天面は、カウンタ２が障害物となり、リビングＬから視認困難となる。
つまり、カウンタ２の存在により、リビングＬからの視線が遮断され、煩雑になりやすいシンク１２ａ周りをリビングＬから隠すことができるよう構成されている。
なお、視線の一部は、コアブロック３により遮断される。
【００６６】
図１２乃至図１５により、本実施形態の改変例を説明する。
なお、上記実施形態と同様の構成は、説明を省略した。
（改変例１）
上記実施形態においては、冷蔵庫配設スペース３１を断面コ字形状としたが、本例においては、図１２に示すように、冷蔵庫配設スペース２３１として、断面Ｌ字形状とした。
このように配設することにより、冷蔵庫の配設方向（扉の配置方向）のフレキシブル性が向上する。
つまり、開口部が２面あるため、この２面どちらに冷蔵庫の扉を設置してもよいし、冷蔵庫のサイズによっては、作業動線の観点からも好適な配置となる。
【００６７】
（改変例２）
本例においては、図１３に示すように、冷蔵庫配置スペース３１と、収納スペース３２とを一体化し、冷蔵庫配設スペース３３１として、断面コ字形状の空間とした。
この冷蔵庫配設スペース３３１は、構造耐力壁３０１と、その両端部から略垂直に立設する構造耐力壁３０５，３０６により、断面コ字形状に形成されている。
このように、配設することにより、冷蔵庫の大きさの制限を緩和することができ、収納スペース３２のサイズもまた規定されず、フレキシブルに使用することができる。
なお、構造耐力壁３０５が「第５構造耐力壁」に相当し、構造耐力壁３０６が「第６構造耐力壁」に相当する。
【００６８】
（改変例３）
本実施形態においては、図１４に示すように、冷蔵庫配置スペース３１と、収納スペース３２とを一体化し、冷蔵庫配設スペース４３１として、断面Ｌ字形状の空間とした。
この冷蔵庫配設スペース４３１は、構造耐力壁３０１と、その一端部から略垂直に立設する構造耐力壁３０５により、断面Ｌ字形状に形成されている。
このように、配設することにより、冷蔵庫の大きさの制限を緩和することができるとともに扉の配置方向も２面に設定することができる。
【００６９】
また、収納スペース３２の配置や個数等も特に規定されず、住人の意思によりフレキシブルに使用する余地が増えるとともに、作業動線の設計の自由度も向上する。
例えば、冷蔵庫と収納具との配置を図１４（ａ）（ｂ）（ｃ）のように自由に組み立てることができる。
また、収納具等も住人のニーズや好みに応じて、選択・組み合わせすることができるため好適である。
【００７０】
（改変例４）
本実施形態においては、図１５に示すように、冷蔵庫配置スペース３１と、収納スペース３２とを一体化し、冷蔵庫配設スペース５３１として、断面変形コ字形状の空間とした。
この冷蔵庫配設スペース５３１は、構造耐力壁３０１と、その一端部から略垂直に立設する構造耐力壁３０５と、構造耐力壁３０１の他端部から略垂直に立設置する構造耐力壁３０６により、断面変形コ字形状に形成されている。
このとき、構造耐力壁３０５の幅（床面と水平方向の長さ）は、構造耐力壁３０６の幅（床面と水平方向の長さ）より大きくなるように構成されている。
このため、構造耐力壁３０５方向からの視線をより有効に遮断することができる。
なお、この場合、構造耐力壁３０５は一枚でもよいし、これを分割してもよい。
この構造は、図１１（ｄ）及び図１１（ｅ）に有効に適用される。
【００７１】
以上のように、本実施形態に係るシステムキッチンＳによれば、構造耐力壁(構造耐力壁３０１，３０２，３０３，３０４，３０５，３０６)を最大４枚配置することができる。
また、コアブロック３の主要構成要素である視界遮断収納部３Ａを、リビングＬ空間、ダイニングＤ空間、キッチンＫ空間とが交わる点に設置することにより、リビングＬ空間からのキッチンＫ空間への視線を遮断することができる。
このため、煩雑になりやすいキッチンＫ周りを、くつろぎの空間であるリビングＬスペースから隠蔽することができる。
【００７２】
更に、これとともに、キッチンＫとダイニングＤとの間には、空間的に連通しているため、キッチンＫとダイニングＤとの間でコミュニケーションをとることが可能となる。
また、キッチンＫとダイニングＤとの間には、カウンタ２が介在しているため、シンク１２ａ周り（つまり、水周り手元）はダイニングＤ空間より隠蔽されている。
よって、ダイニングＤとコミュニケーションを取るとともに、煩雑となる水周り手元は隠蔽することができる。
【００７３】
このように、本実施形態に係るシステムキッチンＳによれば、「開放感」と「遮蔽効果」をバランス良く並存させることができるとともに、収納も十分に確保することができる。
よって、リビングＬ空間、ダイニングＤ空間、キッチンＫ空間を使用する全ての者にとって、快適な居住空間を提供することができる。
【符号の説明】
【００７４】
１  キッチンユニット
１１  第１ユニット
１１ａ  加熱設備
１２  第２ユニット
１２ａ  シンク
２  カウンタ
２１  天板
２２  支持部
３  コアブロック
３Ａ  視界遮断収納部
３Ｂ  被覆部
３１，２３１，３３１，４３１，５３１  冷蔵庫配置スペース
３２  収納スペース
３２ａ  第１収納ユニット
３２ｂ  第２収納ユニット
１３１  第１収納下部空間
１３２  第１収納中部空間
１３３  第１収納上部空間
１３４  第２収納下部空間１３４
１３４ａ  引出
１３５  第２収納中部空間
１３６  第２収納上部空間
３０１，３０２，３０３，３０４，３０５，３０６  構造耐力壁
３３  カウンタ屋根部
Ｄ  ダイニング
Ｋ  キッチン
Ｌ  リビング
Ｐ  遮蔽物
Ｓ  システムキッチン
【図１】
2010246693.tif 000003
【図２】
2010246693.tif 000004
【図３】
2010246693.tif 000005
【図４】
2010246693.tif 000006
【図５】
2010246693.tif 000007
【図６】
2010246693.tif 000008
【図７】
2010246693.tif 000009
【図８】
2010246693.tif 000010
【図９】
2010246693.tif 000011
【図１０】
2010246693.tif 000012
【図１１】
2010246693.tif 000013
【図１２】
2010246693.tif 000014
【図１３】
2010246693.tif 000015
【図１４】
2010246693.tif 000016
【図１５】
2010246693.tif 000017